(57)【要約】【課題】本発明は、所望の温度電流特性を生成することができる電流源回路を提供する。【解決手段】それぞれ異なる温度電流特性を有する複数の電流源Ｉａｎ及びＩｂｎからなる一組の電流源が複数組配置された電流源群Ｉａ１〜Ｉａｎ及びＩｂ１〜Ｉｂｎと、複数の電流源からなる一組の電流源に対応するようにしてそれぞれ設けられ、複数の電流源がそれぞれ供給する複数の電流を、所望の比率で加算する複数の第１の加算器ＡＤＤ１〜ＡＤＤｎと、複数の第１の加算器からそれぞれ出力される複数の出力電流Ｉｏｕｔ１〜Ｉｏｕｔｎを、所望の比率で加算する第２の加算器ＡＤＤｓｕｍとを備える。【選択図】図２
2007257052.tif 000002
【特許請求の範囲】
【請求項１】
それぞれ異なる温度電流特性を有する複数の電流源からなる一組の電流源が複数組配置された電流源群と、
前記複数の電流源からなる前記一組の電流源に対応するようにしてそれぞれ設けられ、前記複数の電流源がそれぞれ供給する複数の電流を、所望の比率で加算する複数の第１の加算器と、
前記複数の第１の加算器からそれぞれ出力される複数の出力電流を、所望の比率で加算する第２の加算器と
を備えることを特徴とする電流源回路。
【請求項２】
前記複数の電流源は、
一定の電流を供給する一定電流源、又は温度の変化に応じて電流が一定の傾きで変化する温度比例電流源のいずれかであることを特徴とする請求項１記載の電流源回路。
【請求項３】
前記複数の第１の加算器は、
温度の変化に応じてそれぞれ異なる一定の傾きで電流が変化する温度電流特性を有する前記複数の出力電流をそれぞれ生成することを特徴とする請求項２記載の電流源回路。
【請求項４】
前記第２の加算器は、
温度の変化に応じて傾きが適応的に変化しながら電流が変化する温度電流特性を有する第２の出力電流を生成することを特徴とする請求項２記載の電流源回路。
【請求項５】
前記電流源回路は、
受信機が有する増幅回路内に設けられていることを特徴とする請求項１記載の電流源回路。
【発明の詳細な説明】
【技術分野】
【０００１】
本発明は電流源回路に関する。
【背景技術】
【０００２】
携帯電話機などの無線通信機は、アンテナによって受信された受信信号を増幅するための増幅器を有し、当該増幅器内には、電源として電流源が設けられている。かかる電流源としては、温度に関係なく一定の電流を供給する電流源（以下、これを温度一定電流源と呼ぶ）と、温度と電流の間に比例関係が成立し、温度の上昇に応じて電流が一定の傾きで直線的に増加する電流源（以下、これを温度比例電流源と呼ぶ）とがある。
【０００３】
増幅器内に設けられる電流源として、温度一定電流源又は温度比例電流源を使用した場合には、周囲の温度が変化すると、増幅器の利得（出力電圧／入力電圧）が大きく変化するという問題があった。
【０００４】
以下、電流源回路に関する文献名を記載する。
【特許文献１】特開２０００−４９４３１号公報
【発明の開示】
【発明が解決しようとする課題】
【０００５】
本発明は、所望の温度電流特性を生成することができる電流源回路を提供する。
【課題を解決するための手段】
【０００６】
本発明の一態様による電流源回路は、
それぞれ異なる温度電流特性を有する複数の電流源からなる一組の電流源が複数組配置された電流源群と、
前記複数の電流源からなる前記一組の電流源に対応するようにしてそれぞれ設けられ、前記複数の電流源がそれぞれ供給する複数の電流を、所望の比率で加算する複数の第１の加算器と、
前記複数の第１の加算器からそれぞれ出力される複数の出力電流を、所望の比率で加算する第２の加算器と
を備える。
【発明の効果】
【０００７】
本発明の電流源回路によれば、所望の温度電流特性を生成することができる。
【発明を実施するための最良の形態】
【０００８】
以下、本発明の実施の形態について図面を参照して説明する。
【０００９】
図１に、本発明の実施の形態による受信回路１０の構成を示す。この受信回路１０は、例えば携帯電話機などの無線通信機内に設けられ、アンテナ（図示せず）によって受信されたＲＦ（無線周波数）信号Ｓ１０を低雑音増幅器２０に入力する。低雑音増幅器２０は、このＲＦ信号Ｓ１０を所望レベルに増幅した後、周波数変換器３０に出力する。周波数変換器３０は、所望レベルに増幅されたＲＦ信号Ｓ１０と、ローカル周波数信号Ｓ２０とを乗算し周波数変換を行うことにより、ＩＦ（中間周波数）信号Ｓ３０を生成し、これを後段の回路に出力する。
【００１０】
ところで、低雑音増幅器２０内には、電源として電流源回路が設けられている。ここで図２に、低雑音増幅器２０が有する、本実施の形態による電流源回路５０の構成を示す。この図２に示すように、電流源回路５０は、それぞれ異なる温度電流特性を有する２種類の電流源Ｉａｎ及びＩｂｎを有する。
【００１１】
例えば、電流源Ｉａｎは、温度と電流の間に比例関係が成立し、温度の上昇に応じて電流が一定の傾きで直線的に増加する温度比例電流源からなり、電流源Ｉｂｎは、温度に関係なく一定の電流を供給する温度一定電流源からなる。なお、電流源Ｉａｎは電流Ｉａｎを供給し、電流源Ｉｂｎは電流Ｉｂｎを供給する。
【００１２】
電流源回路５０は、電流源Ｉａｎが供給する電流Ｉａｎに係数Ａｎを乗算することにより、電流ＡｎＩａｎを生成し、電流源Ｉｂｎが供給する電流Ｉｂｎに係数Ｂｎを乗算することにより、電流ＢｎＩｂｎを生成する。
【００１３】
加算器ＡＤＤｎは、これら電流ＡｎＩａｎと電流ＢｎＩｂｎとを加算することにより、電流ＡｎＩａｎ＋ＢｎＩｂｎを生成し、これを乗算器ＭＵＬｎに出力する。乗算器ＭＵＬｎは、電流ＡｎＩａｎ＋ＢｎＩｂｎに係数αｎを乗算することにより、電流Ｉｏｕｔｎを生成する。
【００１４】
すなわち電流源回路５０は、次式
【数１】
2007257052.tif 000003
のように、電流源Ｉａｎが供給する電流Ｉａｎと、電流源Ｉｂｎが供給する電流Ｉｂｎとを、所望の異なる比率で加算又は減算することにより、例えば所望の一定の傾きで電流が直線的に増加する温度電流特性を有する、電流Ｉｏｕｔｎを供給する電流源Ｉｏｕｔｎを生成する。
【００１５】
このようにして電流源回路５０は、それぞれ異なる一定の傾きで電流が直線的に増加する温度電流特性を有する、電流Ｉｏｕｔ１〜Ｉｏｕｔｎを供給する電流源Ｉｏｕｔ１〜Ｉｏｕｔｎを生成する。加算器ＡＤＤｓｕｍは、これら生成された電流Ｉｏｕｔ１〜Ｉｏｕｔｎを加算することにより、電流Ｉｏｕｔを生成する。
【００１６】
すなわち電流源回路５０は、次式
【数２】
2007257052.tif 000004
のように、加算器ＡＤＤ１〜ＡＤＤｎから出力され、それぞれ異なる一定の傾きで電流が直線的に増加する温度電流特性を有する電流Ａ１Ｉａ１＋Ｂ１Ｉｂ１〜ＡｎＩａｎ＋ＢｎＩｂｎを所望の異なる比率で加算又は減算することにより、所望の温度電流特性を有する、電流Ｉｏｕｔを供給する電流源Ｉｏｕｔを生成する。
【００１７】
例えば、温度の上昇に応じて傾きが段階的に大きくなる温度電流特性を有する電流源Ｉｏｕｔを生成する場合には、電流源Ｉａ１〜Ｉａ３として温度比例電流源を使用し、かつ電流源Ｉｂ１〜Ｉｂ３として温度一定電流源を使用する。
【００１８】
図３に示すように、電流源回路５０は、まず、それぞれ異なる一定の傾きで電流が直線的に増加する温度電流特性を有する、電流Ｉｏｕｔ１〜Ｉｏｕｔ３を供給する電流源Ｉｏｕｔ１〜Ｉｏｕｔ３を生成する。
【００１９】
なお、電流源Ｉｂ２及びＩｂ３が供給する電流Ｉｂ２及びＩｂ３が、電流源Ｉａ２及びＩａ３が供給する電流Ｉａ２及びＩａ３より大きい場合には、電流源Ｉｂ２及びＩｂ３が、電流源Ｉａ２及びＩａ３が供給する電流Ｉａ２及びＩａ３と同一の大きさの電流を供給しようとし、乗算器ＭＵＬ２及びＭＵＬ３には電流が流れない。これにより、電流Ｉｂ２及びＩｂ３が電流Ｉａ２及びＩａ３より大きい温度範囲０〜Ｔ２及び０〜Ｔ３では、電流Ｉｏｕｔ２及びＩｏｕｔ３は“０”になる。
【００２０】
続いて電流源回路５０は、次式
【数３】
2007257052.tif 000005
のように、電流Ｉｏｕｔ１〜Ｉｏｕｔ３を加算する。これにより、図４に示すように、温度の上昇に応じて傾きが段階的に大きくなる温度電流特性を有する、電流Ｉｏｕｔを供給する電流源Ｉｏｕｔを生成することができる。
【００２１】
また、かかる電流源回路５０を使用すれば、図５に示すように、下に凸型形状の温度電流特性を有する電流源Ｉｏｕｔを生成することができ、さらに図６に示すように、上に凸型形状の温度電流特性を有する電流源Ｉｏｕｔを生成することができる。
【００２２】
ここで図７〜図１１に、上に凸型形状の温度電流特性を有する電流源Ｉｏｕｔを生成する場合の具体例について示す。図７（ａ）に示すように、電流源回路５０における電流源Ｉａｎとして、電流Ｉｐｔａｔ１を供給する温度比例電流源Ｉｐｔａｔ１を使用し、電流源Ｉｂｎとして、電流Ｉｃｏｎｓｔ１を供給する温度一定電流源Ｉｃｏｎｓｔ１を使用する。
【００２３】
電流源回路５０は、次式
【数４】
2007257052.tif 000006
のように、温度比例電流源Ｉｐｔａｔ１が供給する電流Ｉｐｔａｔ１から、温度一定電流源Ｉｃｏｎｓｔ１が供給する電流Ｉｃｏｎｓｔ１を、所望の異なる比率で減算する。これにより、図７（ｂ）に示すように、所望の一定の傾きで電流が直線的に増加する温度電流特性を有する、電流Ｉｏｕｔ１を供給する電流源Ｉｏｕｔ１を生成する。なお、上述したように、電流Ｉｃｏｎｓｔ１が電流Ｉｐｔａｔ１より大きい温度範囲では、電流Ｉｏｕｔ１は“０”になる。
【００２４】
また、図８（ａ）に示すように、電流源回路５０における電流源Ｉａｎとして、電流Ｉｃｏｎｓｔ２を供給する温度一定電流源Ｉｃｏｎｓｔ２を使用し、電流源Ｉｂｎとして、電流Ｉｐｔａｔ２を供給する温度比例電流源Ｉｐｔａｔ２を使用する。
【００２５】
電流源回路５０は、次式
【数５】
2007257052.tif 000007
のように、温度一定電流源Ｉｃｏｎｓｔ２が供給する電流Ｉｃｏｎｓｔ２から、温度比例電流源Ｉｐｔａｔ２が供給する電流Ｉｐｔａｔ２を、所望の異なる比率で減算する。これにより、図８（ｂ）に示すように、所望の一定の傾きで電流が直線的に減少する温度電流特性を有する、電流Ｉｏｕｔ２を供給する電流源Ｉｏｕｔ２を生成する。なお、上述したように、電流Ｉｐｔａｔ２が電流Ｉｃｏｎｓｔ２より大きい温度範囲では、電流Ｉｏｕｔ２は“０”になる。
【００２６】
続いて、図９（ａ）に示すように、電流源回路５０における電流源Ｉａｎとして、電流Ｉｃｏｎｓｔ３を供給する温度一定電流源Ｉｃｏｎｓｔ３を使用し、電流源Ｉｂｎとして、図７において生成された電流Ｉｏｕｔ１を供給する電流源Ｉｏｕｔ１を使用する。
【００２７】
電流源回路５０は、次式
【数６】
2007257052.tif 000008
のように、温度一定電流源Ｉｃｏｎｓｔ３が供給する電流Ｉｃｏｎｓｔ３から、電流源Ｉｏｕｔ１が供給する電流Ｉｏｕｔ１を、所望の異なる比率で減算する。これにより、図９（ｂ）に示すように、一定の電流を維持した後は所望の一定の傾きで電流が直線的に減少する温度電流特性を有する、電流Ｉｏｕｔ３を供給する電流源Ｉｏｕｔ３を生成する。
【００２８】
また、図１０（ａ）に示すように、電流源回路５０における電流源Ｉａｎとして、電流Ｉｃｏｎｓｔ４を供給する温度一定電流源Ｉｃｏｎｓｔ４を使用し、電流源Ｉｂｎとして、図８において生成された電流Ｉｏｕｔ２を供給する電流源Ｉｏｕｔ２を使用する。
【００２９】
電流源回路５０は、次式
【数７】
2007257052.tif 000009
のように、温度一定電流源Ｉｃｏｎｓｔ４が供給する電流Ｉｃｏｎｓｔ４から、電流源Ｉｏｕｔ２が供給する電流Ｉｏｕｔ２を、所望の異なる比率で減算する。これにより、図１０（ｂ）に示すように、所望の一定の傾きで電流が直線的に増加した後は一定の電流を維持する温度電流特性を有する、電流Ｉｏｕｔ４を供給する電流源Ｉｏｕｔ４を生成する。
【００３０】
図１１（ａ）に示すように、電流源回路５０は、次式
【数８】
2007257052.tif 000010
によって、電流Ｉｏｕｔ３と電流Ｉｏｕｔ４とを、所望の異なる比率で加算する。これにより、図１１（ｂ）に示すように、上に凸型形状の温度電流特性を有する、電流Ｉｏｕｔを供給する電流源Ｉｏｕｔを生成する。
【００３１】
ここで、図３に対応する図１２に示すように、それぞれ異なる一定の傾きで電流が直線的に増加する温度電流特性を有する電流源を５個生成した後、図４に対応する図１３に示すように、これら５個の電流源がそれぞれ供給する５つの電流を加算することにより、温度の上昇に応じて傾きが徐々に大きくなる温度電流特性を有する電流源を生成する。
【００３２】
すなわち、図１４に示すように、電流源として温度比例電流源を使用した比較例の場合には、温度の上昇に応じて電流が一定の傾きで直線的に増加する温度電流特性を有するのに対して、本実施の形態による電流源の場合には、温度の上昇に応じて傾きが徐々に大きくなる温度電流特性を有する。
【００３３】
従って、図１５に示すように、比較例による温度比例電流源を、低雑音増幅器２０（図１）の電源として使用する場合には、温度が変化すると、低雑音増幅器２０の利得が大きく変化する。これに対して、本実施の形態による所望の温度電流特性を有する電流源を、低雑音増幅器２０（図１）の電源として使用する場合には、温度が変化しても、低雑音増幅器２０の利得が変化することを抑制することができ、温度に関係なく利得をほぼ一定に維持することができる。
【００３４】
なお上述の実施の形態は一例であって、本発明を限定するものではない。例えば電流源回路５０内に、それぞれ異なる温度電流特性を有する３種類以上の電流源Ｉａｎ及びＩｂｎを設けるようにしても良い。また、電流源回路５０を低雑音増幅器２０の電源として使用するのではなく、他の種々の電子回路の電源として使用することも可能である。
【図面の簡単な説明】
【００３５】
【図１】本発明の実施の形態による受信回路の構成を示す回路図である。
【図２】同受信回路の低雑音増幅器が有する電流源回路の構成を示す回路図である。
【図３】同電流源回路における温度電流特性の一例を示す説明図である。
【図４】同電流源回路における温度電流特性の一例を示す説明図である。
【図５】同電流源回路における温度電流特性の一例を示す説明図である。
【図６】同電流源回路における温度電流特性の一例を示す説明図である。
【図７】同電流源回路における温度電流特性の一例を示す説明図である。
【図８】同電流源回路における温度電流特性の一例を示す説明図である。
【図９】同電流源回路における温度電流特性の一例を示す説明図である。
【図１０】同電流源回路における温度電流特性の一例を示す説明図である。
【図１１】同電流源回路における温度電流特性の一例を示す説明図である。
【図１２】同電流源回路における温度電流特性の一例を示す説明図である。
【図１３】同電流源回路における温度電流特性の一例を示す説明図である。
【図１４】同電流源回路と比較例による温度比例電流源とにおける温度電流特性の比較結果を示す説明図である。
【図１５】同電流源回路を有する低雑音増幅器と、比較例による温度比例電流源を有する低雑音増幅器とにおける温度電流特性の比較結果を示す説明図である。
【符号の説明】
【００３６】
１０  受信回路
２０  低雑音増幅器
Ｉａ１〜Ｉａｎ、Ｉｂ１〜Ｉｂｎ  電流源
ＡＤＤ１〜ＡＤＤｎ、ＡＤＤｓｕｍ  加算器
ＭＵＬ１〜ＭＵＬｎ  乗算器
【図１】
2007257052.tif 000011
【図２】
2007257052.tif 000012
【図３】
2007257052.tif 000013
【図４】
2007257052.tif 000014
【図５】
2007257052.tif 000015
【図６】
2007257052.tif 000016
【図７】
2007257052.tif 000017
【図８】
2007257052.tif 000018
【図９】
2007257052.tif 000019
【図１０】
2007257052.tif 000020
【図１１】
2007257052.tif 000021
【図１２】
2007257052.tif 000022
【図１３】
2007257052.tif 000023
【図１４】
2007257052.tif 000024
【図１５】
2007257052.tif 000025